(57)【特許請求の範囲】
【請求項１】
シートクッションの下面に一端を回転可能に連結したリンクアームの他端を車両フロア側に回転可能に連結し、前記リンクアームの前方回動に伴って前記シートクッションを前方へ跳ね上げ転回させて起立姿勢となし、前記シートクッションの跳ね上げにより生じた空間にシートバックを前倒させるようにした車両用シートにおいて、前記リンクアームを側面視で略Ｌ字形に成形して、前記シートクッションが前方へ転回し起立した状態で前記リンクアームの一辺が略水平姿勢に、他辺が前記一辺の前端で略垂直姿勢に位置するようになし、かつ、前記シートクッションの下面に、前方回動前の前記リンクアームを収納するための凹状空間を形成して、当該凹状空間内に前記リンクアームを、その屈曲部を上方に位置させた状態で収納したことを特徴とする車両用シート。
【発明の詳細な説明】
【０００１】
【発明の属する技術分野】
本発明は車両用シートに関し、特に、シートクッションを前方へ跳ね上げ回動可能とし、跳ね上げにより生じた空間にシートバックを前倒させて、後部荷室フロアに連続する広い荷物積載空間を確保できるようにした車両用シートの構造改良に関する。
【０００２】
【従来の技術】
この種の車両用シートとして例えば特開平１０−２２６２５３号公報に記載されたものが知られている。当該公報に記載のシートを概念的に図６で説明すると、シートクッションＳ１の底面とフロアＦ側は直線的なリンクアーム５で連結されている。シート使用状態（図６（Ａ））からリンクアーム５を前方回動させ、これに伴ってシートクッションＳ１を前方へ跳ね上げ転回させて起立姿勢とする（図６（Ｂ））。そして、シートクッションＳ１の跳ね上げにより生じた空間にシートバックＳ２を前倒させる。このような構造によれば、リンクアーム５の前方回動に伴ってシートクッションＳ１全体が前方へ移動するから、跳ね上げ後に生じる空間の前後長を長く確保することができ、この空間内へ比較的背の高いシートバックＳ２を前倒収納することができる。
【０００３】
【発明が解決しようとする課題】
ところで、上記従来の車両用シートにおいて、乗員の居住性を高めるために、さらに背の高いシートバックＳ２を使用したい場合には、シートクッション跳ね上げ転回時の前方移動量を大きくするためにリンクアーム５をより長くする必要がある（図７（Ａ））。しかし、このようにすると、シートクッションＳ１を跳ね上げ転回させて起立させた状態で（図７（Ｂ））、前倒させたシートバックＳ２が、回動したリンクアーム５と干渉するという問題がある。
【０００４】
そこで、本発明はこのような課題を解決するもので、リンクアームとシートバックの干渉を生じることなく、前方転回時のシートクッションの移動量を十分確保して背の高いシートバックの前倒を可能とした車両用シートを提供することを目的とする。
【０００５】
【課題を解決するための手段】
上記目的を達成するために、本第１発明では、シートクッション（Ｓ１）の下面に一端（３３）を回転可能に連結したリンクアーム（３）の他端（３１１，３２１）を車両フロア（Ｆ）側に回転可能に連結し、リンクアーム（３）の前方回動に伴ってシートクッション（Ｓ１）を前方へ跳ね上げ転回させて起立姿勢となし、シートクッション（Ｓ１）の跳ね上げにより生じた空間にシートバック（Ｓ２）を前倒させるようにした車両用シートにおいて、リンクアーム（３）を側面視で略Ｌ字形に成形して、シートクッション（Ｓ１）が前方へ転回し起立した状態でリンクアーム（３）の一辺（３１２）が略水平姿勢に、他辺（３１３）が上記一辺（３１２）の前端で略垂直姿勢に位置するようになし、かつ、前記シートクッション（Ｓ１）の下面に、前方回動前のリンクアーム（３）を収納するための凹状空間（Ｐ）を形成して、当該凹状空間（Ｐ）内にリンクアーム（３）を、その屈曲部を上方に位置させた状態で収納する。
【０００６】
本第１発明において、シートクッションを跳ね上げた状態で、リンクアームはその一辺が略水平姿勢に、他辺が上記一辺の前端で略垂直姿勢に位置するから、シートクッションの跳ね上げにより生じた空間内へシートバックを前倒させても、上記一辺は前倒した上記シートバックの、下方を向く着座面に沿って位置し、また上記他辺は前倒したシートバックの、前方を向く頂面に沿って位置して、これらと干渉することはない。したがって、リンクアームを十分長くしてシートクッションを大きく前方へ跳ね上げ転回させることができ、背の高いシートバックの前倒が可能となる。また、リンクアームを前方回動させる前のシートクッション使用状態で、リンクアームを凹状空間内にコンパクトに収納しておくことができる。
【０００９】
なお、上記カッコ内の符号は、後述する実施形態に記載の具体的手段との対応関係を示すものである。
【００１０】
【発明の実施の形態】
図１には車両用シートの部分断面側面図を示す。図１において、車両フロアＦ上に平行に設けられたシートレール１１（一方のみ示す）には、これに沿って車両前後方向（図１の左右方向）へ移動可能でかつ図略の機構によって所定位置に位置決め可能なシートトラック１２が載置され、シートトラック１２上にシートクッションＳ１が配設されている。シートトラック１２の後端には公知のリクライニング機構（図示略）を介してシートバックＳ２が結合されている。
【００１１】
シートトラック１２は図２に示すように左右の各シートレール１１に対応して左右一対設けられ、これら左右のシートトラック１２が前端部と後端部でクロスメンバ１３，１４によって互いに結合されている。一方、シートクッションＳ１の下面に接合される底板フレーム２は略四角形の板体の前半部２１が周縁部２３を除いて上方へ膨出し、その下方には山形断面（図１）の凹状空間Ｐが形成されている。凹状空間Ｐ内にはリンクアーム３が位置し、このリンクアーム３は側面視（図１）で略Ｌ字形に成形されて、その屈曲部を上方に位置させて凹状空間Ｐ内に収納されている。
【００１２】
リンクアーム３は左右の脚部３１，３２（図２）とこれらの基端を連結する連結部３３よりなる門型に成形されており、各脚部３１，３２が上記のように略Ｌ字形に屈曲している。各脚部３１，３２の先端部３１１，３２１は側面視（図１）で一定角度で屈曲するとともに各先端はさらに互いに外方へ屈曲しており（図２）、これら先端部３１１，３２１が前側クロスメンバ１３の左右位置に設けられたヒンジ部１５に回転自在に挿入装着されている。なお、上記前側クロスメンバ１３には各ヒンジ部１５に近い前面に、所定角度で斜め前方を向くストッパ面１６ａ（図１）を有するストッパ体１６が突設されている。
【００１３】
リンクアーム３の各脚部３１，３２の基端に近い連結部３３の両端は、凹状空間Ｐに臨む底板フレーム２部の板面左右位置に設けたブラケット４（図１に一方のみ示す）に回転自在に取り付けられている。各ブラケット４はリンクアーム３の回転中心Ｏ１から扇形に広がる形状を有し、その外周部は中央４１が外側（図１に示すものでは紙面手前側）へ次第に膨出して高くなっている。そして、シートクッションＳ１が使用されている図１に示す状態では、リンクアーム３の脚部３１はブラケット４の外周部中央４１に対して一方の側に位置している。
【００１４】
シートクッションＳ１の底板フレーム２の前面中央には上下方向へ延びる溝部２４（図２）が屈曲成形され、その下端部２４１は図３に示すように、周縁部２３に対して下方へ切り離されて係止部となっている。そして、この係止部２４１はシートクッションＳ１使用中（図１に示す状態）には前側クロスメンバ１３の後側面に当接して（図３）、車両の急減速時等における底板フレーム２（すなわちシートクッションＳ１）の前方移動を規制している。
【００１５】
上記底板フレーム２には後半部２２（図１、図２）の下面に位置決めピン２５が突設されている。一方、左側シートトラック１２の頂面には凹所１７（図２）が形成されており、この凹所１７は図４に示すように前側（図の左側）側壁１７１が斜面になるとともに、左右の側壁１７２，１７３は図５に示すように原形状態（図の鎖線）では凹所１７内へ切り起こされている。シートクッションＳ１使用中には底板フレーム２の位置決めピン２５は凹所１７内に進入しており（図４、図５）、この時、凹所１７の左右の側壁１７２，１７３は押し拡げられるとともに（図５の実線）その弾性復帰力で位置決めピン２５が左右方向で保持されてその移動が規制される。これにより、特に上記車両シートを分割シートの一方として使用した場合に、他方のシートとの間隔変動を確実に防止することができる。
【００１６】
このような構造の車両シートにおいて、シート後方の荷室を拡大する場合には、リンクアーム３によってシートクッションＳ１を前方へ跳ね上げ回動させる（図１の鎖線）。すなわち、リンクアーム３を、ヒンジ部１５を中心にして前方（図１の左方）へ回動させると、これに伴ってシートクッションＳ１も前方へ回動する。この際、シートクッションＳ１はリンクアーム３の脚部３１，３２基端の回転中心Ｏ１に対しても回動可能であるから、リンクアーム３を回動させつつその回動方向とは反対方向へシートクッションＳ１を回動させると、前方回動位置にてシートクッションＳ１を垂直姿勢とすることができる。この際、上記回転中心Ｏ１に対してシートクッションＳ１を回動させる過程で、リンクアーム３の脚部３１，３２はブラケット４の外周部中央４１を乗り越えて他方の側へ相対移動し（図１に鎖線で示す）、この結果、シートクッションＳ１の戻り移動が規制されて垂直姿勢に維持される。
【００１７】
前方へ回動した状態でリンクアーム３はその脚部先端３１１，３２１がストッパ体１６のストッパ面１６ａに当接して位置決めされ、この状態で、リンクアーム３のＬ字形脚部３１，３２はその一辺３１２（図１に一方のみ示す）が略水平姿勢になるとともに、他辺３１３は上記一辺３１２の前端で略垂直姿勢になる。シートクッションＳ１の跳ね上げにより生じた空間内へヒンジ軸１８（図１）を中心にシートバックＳ２を前倒させると（図１の鎖線）、上記リンクアーム３のＬ字形脚部３１，３２の各辺３１２，３１３は、前倒したシートバックＳ２の、下方を向く着座面と前方を向く頂面とに沿ってそれぞれ位置し、これらと干渉することはない。したがって、リンクアーム３を十分長くしてシートクッションＳ１を大きく前方へ跳ね上げ転回させ、これにより生じる十分な前後長の空間内に背の高いシートバックＳ２を前倒させて広い荷室空間を確保することができる。
【００１８】
【発明の効果】
以上のように本発明の車両用シートによれば、リンクアームとシートバックの干渉を生じることなく前方転回時のシートクッションの移動量を十分確保して、背の高いシートバックを前倒させることができ、背の高いシートバックの使用による乗員の居住性の向上と、シートバツクを前倒させた十分な荷物積載空間の確保を併せて実現することができる。
【図面の簡単な説明】
【図１】車両用シートの部分断面側面図である。
【図２】底板フレームとシートトラックの分解斜視図である。
【図３】図２のＩＩＩ−ＩＩＩ線に沿った断面図である。
【図４】図２のＩＶ−ＩＶ線に沿った断面図である。
【図５】図２のＶ−Ｖ線に沿った断面図である。
【図６】従来の車両用シートの概略側面図である。
【図７】従来の車両用シートの概略側面図である。
【符号の説明】
１１…シートレール、１２…シートトラック、１７…凹所、２…底板フレーム、２４…溝部、２４１…係止部、２５…位置決めピン、３…リンクアーム、３１，３２…脚部、３１１，３２１…先端部、３１２…一辺、３１３…他辺、３３…連結部、４…ブラケット、Ｆ…車両フロア、Ｐ…凹状空間、Ｓ１…シートクッション、Ｓ２…シートバック。
【図１】
0003606181.tif 000002
【図２】
0003606181.tif 000003
【図３】
0003606181.tif 000004
【図４】
0003606181.tif 000005
【図５】
0003606181.tif 000006
【図６】
0003606181.tif 000007
【図７】
0003606181.tif 000008